(57)【要約】      （修正有）【課題】  スラックスやスカート等の下衣に設けられ、優れた消臭作用を奏する腰裏の提供。【解決手段】  腰裏１は、スラックスの腰回りに沿ってスラックス本体に縫着される長帯状の布地からなる腰裏本体と、腰裏本体と縫着された防止部７と、腰裏本体及び防止部７の間に形成された空隙２に挿入される薄いシート状の炭シート体３によって主に構成されている。ここで、炭シート体３は、空隙２に長手方向に沿って折畳まれた状態で挿入されている。さらに、炭シート体３は、和紙糸を炭化処理した和紙炭シートの表裏を一対の保護シートで被覆した三層構造によって形成されている。【選択図】        図２
0003109871.tif 000002
【実用新案登録請求の範囲】
【請求項１】
長帯状の布地によって形成された腰裏本体と、
前記腰裏本体の長手方向に沿って、互いに対向する片縁部がそれぞれ取設され、前記腰裏本体との間に空隙が形成された裾挿脱防止部と、
前記空隙に挿入され、悪臭成分を吸着可能な炭シート体と
を具備することを特徴とする腰裏。
【請求項２】
前記炭シート体は、
和紙糸によって形成された織物または編物のいずれか一方を炭化処理してなる和紙炭シートと、
前記和紙炭シートの表裏のシート面をそれぞれ被覆する一対の保護シートと
をさらに具備し、
前記和紙炭シート及び前記保護シートによって積層構造を呈して形成されることを特徴とする請求項１に記載の腰裏。
【請求項３】
前記炭シート体は、
長手方向に沿って少なくとも一回以上折り畳まれた状態で前記空隙に挿入されていることを特徴とする請求項１または請求項２に記載の腰裏。
【考案の詳細な説明】
【技術分野】
【０００１】
本考案は、腰裏に関するものであり、特に、スラックスやスカート等の裏地として使用され、シャツ等の上衣の裾部分の挿脱を防止する裾挿脱防止部を備える腰裏に関するものである。
【背景技術】
【０００２】
従来から、スラックスやスカート等の腰部の裏側に、所謂”腰裏”と呼ばれる裏地が使用されている。さらに、この腰裏の部分には、着用者の腰回りに沿うようとしてシャツ等の上衣の裾部分のはみ出し（挿脱）を防止するための裾挿脱防止部が設けられている。この裾挿脱防止部は、さらに具体的に説明すると、シリコーン樹脂やポリウレタン樹脂等の合成樹脂をシート状に形成し、腰裏の生地の長手方向に沿って接着または縫着して取付けたものである。そして、この裾挿脱防止部が取付けられた腰裏を使用したスラックスは、シャツ等の上衣の裾がスラックス内に挿入された状態を摩擦力を利用して形成し、上衣のはみ出しを防ぐことが可能となっている。
【０００３】
また、近年の人々の清潔志向や抗菌ブームによって、臭いに対して敏感な人々が増加している。そのため、口臭や体臭等、或いは加齢臭などの発生を抑えるための消臭及び脱臭関連の商品が数多く販売されている。特に、衣服は人の肌に直接ふれ、また一日の間の長い時間に亘って継続して使用されるものであり、着用者の衣服や使用時における汚れが係る衣服に付着しやすい。そのため、微生物の反応を使用した素材からなる衣服が数多く形成されている。
【０００４】
ところで、中高年の男性の場合、前立腺肥大等の疾患に罹患することがあり、「尿漏れ」の症状や「残尿感」を感じることがある。そのため、残尿の飛沫等が下着やスラックス等の腰裏付近に付着することがあり、前述した悪臭の原因となることがある。
【考案の開示】
【考案が解決しようとする課題】
【０００５】
しかしながら、上述した抗菌剤を利用するものは、複数回の洗濯によって抗菌剤が脱落し、抗菌効果が低下することがあった。そのため、長期間に亘って十分な抗菌効果を享受することができない場合があった。また、活性炭等の脱臭剤を使用するものは、上述した洗濯の度に炭の粒子が脱落することに加え、着衣の際にシャツ等を汚すおそれがあった。加えて、これらの抗菌剤等を使用した素材は、衣服の全体部分に使用されるものであり、衣服の特定部位に限定して消臭機能を有する素材を使用することは少なかった。
【０００６】
特に、前述した残尿の付着等によってアンモニア臭が発生しやすいスラックスやスカート等の腰裏に対して脱臭及び消臭作用を付与するものはほとんどなかった。
【０００７】
そこで、本考案は、上記実情に鑑み、スラックスやスカート等の下衣に設けられ、優れた消臭作用を奏する腰裏を提供するものである。
【課題を解決するための手段】
【０００８】
上記の課題を解決するため、本考案にかかる腰裏は、「長帯状の布地によって形成された腰裏本体と、前記腰裏本体の長手方向に沿って、互いに対向する片縁部がそれぞれ取設され、前記腰裏本体との間に空隙が形成された裾挿脱防止部と、前記空隙に挿入され、悪臭成分を吸着可能な炭シート体と」を具備して主に構成されている。
【０００９】
ここで、炭シート体とは、表面積が大きい炭を素材として利用し、シート状に形成したものであり、腰裏本体と裾挿脱防止部との間に形成された空隙に挿入可能なものである。また、裾挿脱防止部とは、従来のスラックスの腰裏に設けられ、上衣の裾部分が着衣時に容易にはみ出さないようにするためのものであり、例えば、シリコーン樹脂等の摩擦係数の大きな素材が利用される。ここで、裾挿脱防止部は、裾部分との当接部分に細かな凹凸を形成し、より摩擦係数を大にして挿脱防止作用を高める加工を施したものや、スラックス等のデザイン性やイメージを損なわないように、種々の模様を印刷等によって付す加工を施したものであってもよい。
【００１０】
したがって、本考案の腰裏によれば、腰裏本体と裾挿脱防止部の間に形成された空隙にアンモニア等の悪臭成分を吸着可能なシート状の炭シート体が挿入されている。これにより、スラックス等に付着した尿の飛沫等から発せられるアンモニア臭等を吸着することが可能となり、悪臭成分の周囲への放散を抑えることが可能となる。このとき、裾挿脱防止部材は、通気性を有する素材で形成され、内部の空隙に挿入された炭シート材の吸着性を損なうことがないものが利用される。
【００１１】
さらに、本考案にかかる腰裏は、上記構成に加え、「前記炭シート体は、和紙糸によって形成された織物または編物のいずれか一方を炭化処理してなる和紙炭シートと、前記和紙炭シートの表裏のシート面をそれぞれ被覆する一対の保護シートとをさらに具備し、前記和紙炭シート及び前記保護シートによって積層構造を呈して形成される」ものであっても構わない。
【００１２】
したがって、本考案の腰裏によれば、炭シート体が和紙炭シートを一対の保護シートによって挟み込んだ積層構造によって形成されている。そのため、保護シートによって和紙炭シートが直に腰裏本体及び裾挿脱防止部に接することがないため、これらを炭化物の粒子で汚すおそれがない。また、和紙炭シートは、アンモニアガス、ホルムアルデヒドガス、トリメチルアミンガス、及び硫化水素ガス等の悪臭成分の原因となる各種気体を、優れた吸収力によって消臭可能な消臭性能を有することが知られている。さらに、炭の有する遠赤外線作用やマイナスイオンを発生する作用を利用して優れた抗菌及び消臭作用を奏することが可能なものである。そのため、係る和紙炭シートを用いることにより、さらに本考案の腰裏に優れた抗菌等の作用を付与することが可能となり、これを用いたスラックス等も同様に優れた抗菌等の作用を奏することとなる。なお、和紙炭シートを形成するために使用される和紙糸は、特に限定されないが、例えば、古来から伝統的な技法で製造される美濃和紙を用いることができる。
【００１３】
さらに、本考案にかかる腰裏は、上記構成に加え、「前記炭シート体は、長手方向に沿って少なくとも一回以上折り畳まれた状態で前記空隙に挿入されている」ものであっても構わない。
【００１４】
したがって、本考案の腰裏によれば、炭シート体を腰裏本体と裾挿脱防止部との間の空隙に折り畳んだ状態で挿入することにより、炭シート体の表面積を可能な限り大きくすることができる。これにより、炭シート体の吸着性を高められる。
【考案の効果】
【００１５】
本考案の腰裏の効果によれば、腰裏本体と裾挿脱防止部との間に形成された空隙に悪臭成分の吸着及び消臭機能を備える炭シート体を挿入することにより、腰裏自体に係る吸着性等の機能を付与することができる。特に、残尿の飛沫等の付着しやすいスラックス等の下衣の腰裏として使用することにより、アンモニア臭等の発生を著しく低下させることができる。
【考案を実施するための最良の形態】
【００１６】
次に、本考案の一実施形態である腰裏１について、図１乃至図４に基づいて説明する。ここで、図１は本実施形態の腰裏１の概略構成を示す説明図であり、図２は腰裏１の構成を示す断面図であり、図３は腰裏１の空隙２に挿入される炭シート体３の構成を示す説明図であり、図４は腰裏１の使用態様の一例を示す説明図である。なお、本実施形態の腰裏１は、男性用のスラックス４の腰部の裏地として使用するものについて例示している。また、説明を簡略化するため、図１乃至図４は、実際のスケールと異なり、それぞれの構成を若干誇張して図示している。
【００１７】
本実施形態の腰裏１は、図１乃至図４に示すように、スラックス４の腰回りに沿ってスラックス本体５に縫着された長帯状の布地からなる腰裏本体６と、該腰裏本体６と縫着された裾挿脱防止部７（以下、単に「防止部７」と称す）と、腰裏本体６及び防止部７の間に形成された空隙２に挿入される薄いシート状の炭シート体３によって主に構成されている。
【００１８】
さらに詳細に説明すると、腰裏本体６は、第一腰裏片９と、第一腰裏片９の裏側（図１における紙面奥行方向に相当）に取設されたメッシュ地からなる第二腰裏片１０と、第二腰裏片１０と縫着された第三腰裏片１１との三つの布部材によって主に構成されている。なお、第一腰裏片９及び第三腰裏片１１は、同種の布帛が利用されている。そして、第一腰裏片９は、一方の片縁部９ａが第二腰裏片１０の片縁部１０ａと略一致するように配され、互いの片縁部９ａ，１０ａ同士が糸１２によって縫着されている。さらに、第一腰裏片９の他方の片縁部９ｂは、第二腰裏片１０の中間部付近と糸１２によって縫着されている（詳細は後述する）。ここで、片縁部９ｂは第二腰裏片１０との縫着のために所定の幅で折返されている。
【００１９】
一方、第三腰裏片１１は、一方の片縁部１１ａが所定の幅で折返されているとともに、全体の幅を約半分にするように曲折し、断面袋状に形成されている。そして、片縁部１１ａは、他方の片縁部１１ｂとほぼ重なり、かつメッシュ地の第二腰裏片１０と併せて糸１２によって縫着されている（詳細は後述する）。なお、第一腰裏片９と第三腰裏片１１との間には、後述する防止部７と略同一の幅の隙間が設けられ、この隙間を連結するように第二腰裏片１０が取設されている。また、第三腰裏片１１の曲折した曲折端部１３は、スラックス本体５と所定間隔で糸１２によって縫着されている（図４参照）。
【００２０】
一方、防止部７は、シリコーン樹脂によって長尺状に形成され、片状の防止基部１５と、該防止基部１５の上面から突出し、シャツ等の上衣の裾との摩擦係数を大きくするための凹凸部１４とを具備して構成されている。この防止部７は、一方の片縁部７ａが前述した第一腰裏片９の片縁部９ｂ及び第二腰裏片１０の間に挟込まれるように縫着されている。さらに、他方の片縁部７ｂは、第三腰裏片１１の片縁部１１ａ及び片縁部１１ｂと、第二腰裏片１０との間に挟込まれるようにして同じく縫着されている。すなわち、前述した第一腰裏片９及び第三腰裏片１１の隙間を防止部７が埋めるような態様を示している。そして、防止部７の片縁部７ａ，７ｂがそれぞれ縫着されることにより、防止部７と腰裏本体６との間、さらに言及すれば、防止部７及び第二腰裏片１０の間に所定の空隙２が形成されている（図２参照）。なお、防止部７は多孔質性の素材が利用され、かつ腰裏本体６に使用される各布地はいずれも通気性が良好なものである。そのため、形成された空隙２は、外部に対して広く開放した空間であり、当該空隙２及び外部との間で、気体（悪臭成分を含む）の流通を阻害するようなものはない。
【００２１】
また、炭シート体３は、図３に主として示すように、美濃和紙からなる和紙糸の織物を高温で炭化処理することによって形成されたシート状の和紙炭シート１６と、この和紙炭シート１６の表裏それぞれのシート面１６ａ，１６ｂを被覆するようにして接着された一対の布部材からなる保護シート１７とによって主に構成されている。すなわち、図３に示すように、全体で三層の積層構造をなして形成されている。ここで、和紙炭シート１６及び保護シート１７の接着は、本実施形態においては和紙炭シート１６の吸着性能を損なわない程度の微量の接着剤（図示しない）によって行われている。
【００２２】
ここで、和紙炭シート１６は、優れた消臭性能を有し、例えば、アンモニアガス、ホルムアルデヒドガス、トリメチルアミンガス、及び硫化水素等の悪臭の原因となる気体成分を吸着し、消臭することができる。特に、アンモニアガスに対しては、消臭率が９９％以上を示すものである。なお、和紙炭シート１６は、和紙糸の炭化によって微細な炭化物の粒子が凝集し、シート状に構築されているものであり、単位体積当たりの表面積が通常の活性炭等の吸着剤よりも大きく、吸着効率が良好なものが利用される。ここで、和紙炭シート１６は、前述したように微細な炭化物の粒子が凝集したものであり、耐衝撃性に乏しく、強い衝撃が加わると容易にそのシート状の形態が崩れることがある。そのため、一対の保護シート１７によって和紙炭シート１６を双方の面から挟み込み、保護することによって衝撃等が加わった場合でもシート状の形態の崩れ、及び炭化物の粒子の脱落を防止することができる。その結果、着用時に脱落した炭化物の粒子によってシャツ等の上衣の裾が「炭」で汚れるような可能性を少なくすることができる。
【００２３】
また、炭シート体３は、図２に示されるように、空隙２の中に腰裏１の長手方向に沿って折り畳まれた状態で挿入されている。これにより、所定の容積を有する空隙２に挿入される炭シート体３の挿入量を大きくすることが可能となり、これに伴って炭シート体３の表面積をさらに増大させることができる。その結果、悪臭成分の吸着性能をさらに高くすることができる。
【００２４】
ここで、本実施形態の腰裏１は、スラックス４の裏地として使用され、シャツ等の裾（図示しない）の脱落（はみ出し）を抑制するための防止部７が設けられている。この防止部７は、前述したように裾との間の摩擦係数を大きくし、着衣時の運動等によって裾がスラックス４の中から外部に容易にはみ出さないようにするものであり、近年製作されるスラックス４に多く採用されている部材である。そして、本考案は、係る防止部７及び腰裏本体５の間に形成される空隙２に気体成分（主に悪臭成分）を高い吸着率で吸着可能な炭シート体３が挿入されている。すなわち、従来から防止部７を設けることによって形成されていた空隙２を有効に活用し、シート状の炭シート体３を挿入することによって、スラックス４自体に消臭機能を付与することができる。なお、腰裏１の製造工程自体は大幅に変更することがなく、既存の設備等を流用することができる。
【００２５】
また、尿中に含まれるアンモニアに対して本実施形態で使用される和紙炭シート１６は、特に優れた吸着性能を発揮することが知られており、排尿時の飛沫等が付着しやすいスラックス４等の下衣への利用によって、該下衣から不快な臭いが発生することを防止することができる。加えて、表面積の大きい和紙炭シート１６を使用することにより、長期間にわたって消臭効果を持続することができ、さらに、スラックス４のクリーニング時に吸着した悪臭成分が脱落するため、再びその消臭機能が回復することがある。その結果、半永久的に消臭効果が持続することとなる。
【００２６】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００２７】
すなわち、本考案の腰裏１において、スラックス４の裏地として使用するものを示したが、これに限定されるものではなく、スカート等のその他の着衣に使用するものであっても構わない。
【００２８】
さらに、和紙炭シート１６として、本考案の腰裏１では、美濃和紙からなる和紙糸を原料とするものを示したが、勿論これに限定されるものではなく、その他の産地によって生産された和紙を原料とするものであってもよい。なお、和紙の種類及び炭化条件の違いによって、異なる吸着性能を示す和紙炭シートを形成し、用途等に応じて適宜選択するものであっても構わない。
【図面の簡単な説明】
【００２９】
【図１】腰裏の概略構成を示す説明図である。
【図２】腰裏の構成を示す断面図である。
【図３】腰裏の空隙に挿入される炭シート体の構成を示す説明図である。
【図４】腰裏の使用態様の一例を示す説明図である。
【符号の説明】
【００３０】
１  腰裏
２  空隙
３  炭シート体
６  腰裏本体
７  防止部（裾挿脱防止部）
９  第一腰裏片
１０  第二腰裏片
１１  第三腰裏片
１６  和紙炭シート
１７  保護シート
【図１】
0003109871.tif 000003
【図２】
0003109871.tif 000004
【図３】
0003109871.tif 000005
【図４】
0003109871.tif 000006